(57)【要約】【課題】  コード組を簡単に引き出し、また巻き戻すことができ、かつコードリールの構造全体を大幅に単純化する伸縮コードリールの構造を提供する。【解決手段】  主にケース体１０、リール盤２０、渦巻バネ３０、コード組４０、定位部品組５０を含む。該ケース体１０は設置空間１３を形成し、２個の線槽を設置する。該設置空間中には凸軸１４１を設置し、該凸軸は該リール盤２０と可動接続する。該リール盤２０の内部には内歯車２８と渦巻バネ３０を設置し、該渦巻バネ３０の反対端は該ケース体の凸軸１４１上に接続する。該コード組４０は該リール盤２０の外周囲に巻き付き、該コード組は相互に重なり接続する第一コード４１及び第二コード４２により構成する。該定位部品組５０は該ケース体１０の設置空間１３内に設置し、該定位部品組５０は外歯車５１を具える。該外歯車５１は該リール盤２０の内歯車２８と相互に対応し噛合い定位される。【選択図】  図２
0003109591.tif 000002
【実用新案登録請求の範囲】
【請求項１】
ケース体、リール盤、渦巻バネ、コード組、定位部品組を含み、
該ケース体は設置空間を形成し、該設置空間中には凸軸を設置し、該ケース体の両端にはそれぞれ線槽を設置し、
該リール盤は該ケース体の設置空間内に設置し、該ケース体の凸軸と可動接続し、該リール盤の一端には内歯車を設置し、
該渦巻バネは該リール盤内に設置し、該渦巻バネの一端は該リール盤上に接続し、反対端は該ケース体の凸軸上に接続し、
該コード組は該リール盤の外周囲に巻き付き環状に設置され、該コード組は相互に重なり接続する第一コード及び第二コードにより構成し、該第一コードと該第二コードの一端はそれぞれ該ケース体の線槽より延伸し、
該定位部品組は該ケース体の設置空間内に設置し、かつ該ケース体と可動接続し、該定位部品組は外歯車を具え、該外歯車は該リール盤の内歯車と相互に対応し噛合い定位されることを特徴とする伸縮コードリールの構造。
【請求項２】
前記ケース体は上ケース体、下ケース体により構成することを特徴とする請求項１記載の伸縮コードリールの構造。
【請求項３】
前記上、下ケース体上にはそれぞれ2本の凸柱と2個の凹孔を設置し、該各凸柱は該各凹孔と相互に対応し連結し、該2個の凹孔間には線槽を形成することを特徴とする請求項２記載の伸縮コードリールの構造。
【請求項４】
前記下ケース体の内部には基台を接続し、該基台の中央には凸軸を延伸することを特徴とする請求項２記載の伸縮コードリールの構造。
【請求項５】
前記凸軸上には通槽を開設し、該通槽には前記渦巻バネの一端が嵌入し接続することを特徴とする請求項４記載の伸縮コードリールの構造。
【請求項６】
前記基台の片側には開口部を形成し、該開口部は前記定位部品組の外歯車を突出させ、これにより前記リール盤の内歯車と相互に噛合い回転することを特徴とする請求項４記載の伸縮コードリールの構造。
【請求項７】
前記リール盤は隔絶板を具え、該隔絶板の中央には貫通孔を設置し、該貫通孔には前記ケース体の凸軸が貫通し可動接続することを特徴とする請求項１記載の伸縮コードリールの構造。
【請求項８】
前記リール盤の上下周囲にはそれぞれ上欠口、下欠口を設置し、前記隔絶板の片側には通槽を設置し、該欠口と該通槽はそれぞれ前記第一コード及び前記第二コードの接続端を穿通させることを特徴とする請求項７記載の伸縮コードリールの構造。
【請求項９】
前記渦巻バネは金属板片、或いは金属線材などで製造することを特徴とする請求項１記載の伸縮コードリールの構造。
【請求項１０】
前記第一コードの一端にはUSBジョイント、IEEEI1394ジョイント、直流電源プラグ、電話ジャック、インターネット用ジョイント、イヤホーンジャック、ストラップなどの任意の一種を接続することを特徴とする請求項１記載の伸縮コードリールの構造。
【請求項１１】
前記第二コードの一端にはUSBジョイント、IEEEI1394ジョイント、直流電源プラグ、電話ジャック、インターネット用ジョイント、イヤホーンジャック、ストラップなどの任意の一種を接続することを特徴とする請求項１記載の伸縮コードリールの構造。
【請求項１２】
前記定位部品組は揺動部品、ラチェットを含み、前記下ケース体の内部には第一円軸、第二円軸、第三円軸を延伸し、前記定位部品組の外歯車、揺動部品、ラチェットはそれぞれ前記下ケース体の第一円軸、第二円軸、第三円軸上に可動接続することを特徴とする請求項１記載の伸縮コードリールの構造。
【請求項１３】
前記揺動部品は突起ブロック、2個のガードブロックを具え、前記外歯車上には係合槽を設置し、該係合槽は該突起ブロックを設置し、前記ラチェット上には複数のラチェットを具え、該ラチェットは前記揺動部品のガードブロックを嵌入させ、これにより限定作用を生じることを特徴とする請求項１２記載の伸縮コードリールの構造。
【請求項１４】
前記揺動部品のガードブロックは外部にそれぞれ弾力片を設置し、該各弾力片は前記揺動部品の作動を一定の作業範囲内に限定することを特徴とする請求項１３記載の伸縮コードリールの構造。
【考案の詳細な説明】
【技術分野】
【０００１】
本考案は一種の伸縮コードリールの構造に関する。特に一種の自動的に弾力により巻き戻るコードリールの構造で、コード組を簡単に引き出し、また巻き戻すことができ、かつコードリールの構造全体を大幅に単純化する伸縮コードリールの構造に係る。
【背景技術】
【０００２】
科学技術の進歩と産業の発展に伴い、ノートPC、電話、デジカメ、カードリーダーなどの電子設備は日常生活や仕事において広く使用されるようになっている。これら電子設備はみなコードにより接続され、電子信号伝送の目的を達成するが、長過ぎたり、コードが多すぎて絡まったり、或いは短過ぎ実際の使用には不都合であったりすることがないよう、業界では多種のリールの構造が開発されている。しかし、該構造は操作及びメンテナンスにおいてなお改善が必要な問題点が存在する。
公知のコードリールの構造は主にケース体、リール盤、渦巻バネ、コード組により構成する。該渦巻バネは該リール盤上に固設され、これにより該リール盤上に巻き付くコード組は巻き取られ、元の位置を回復する作用を具える。該コード組の両端にはそれぞれジョイントを接続し、これにより各種異なる型式のコンセントに接続することができる。
該コード組は該ケース体中において導電構造と接続するが、多種の異なる形態の設計がある。例えば、該リール盤の一端には複数の導電リングを設置し、反対端には複数の導電弾力片或いはスチールボールを設置することにより、回転過程において電気的接続状態を保持するものなどがある。
しかし、上記構造は構成部品が多く構造が複雑で、組立て時間がかかるばかりでなく、各部品間の摩擦損耗を招き易く、実用性と経済利益を大きく低下させてしまう。また、該コードリールは該コード組を封鎖状ケース体の内部に設置するため、該コード組が巻き取られる過程においては、該コード組の反転現象や、該コードが該ケース体内に引き込まれ引っ掛かり、巻取りが不良となることを防止するため、メンテナンス時にコードの整理を行う場合には、該コードリールの大部分を分解しなければならない。
さらに、該コードリールは定位構造を具えないため、該コード組が引き出された後は、該渦巻バネの弾力により伸張状態を呈し、外部において適当な長さを固定的に保留することができない。これらのため、使用者は操作及びメンテナンスにおいて非常に重大な面倒と不便を強いられている。
【特許文献１】特開２００１−１２６８３２号公報
【考案の開示】
【考案が解決しようとする課題】
【０００３】
本考案は上記構造の問題点を解決した伸縮コードリールの構造を提供するものである。
それは主に、リール盤と定位部品組間に相互に噛合い回転定位する歯車組を設置し、これによりコード組を簡単に引き出し、また巻き戻すことができ、かつコードリールの構造全体を大幅に単純化することができる。
【課題を解決するための手段】
【０００４】
上記課題を解決するため、本考案は下記の伸縮コードリールの構造を提供する。
それは主に主にケース体、リール盤、渦巻バネ、コード組、定位部品組を含み、
該ケース体は設置空間を形成し、該設置空間中には凸軸を設置し、該ケース体の両端にはそれぞれ線槽を設置し、
該リール盤は該ケース体の設置空間内に設置し、該ケース体の凸軸と可動接続し、該リール盤の一端には内歯車を設置し、
該渦巻バネは該リール盤内に設置し、該渦巻バネの一端は該リール盤上に接続し、反対端は該ケース体の凸軸上に接続し、
該コード組は該リール盤の外周囲に巻き付き環状に設置され、該コード組は相互に重なり接続する第一コード及び第二コードにより構成し、該第一コードと該第二コードの一端はそれぞれ該ケース体の線槽より延伸し、
該定位部品組は該ケース体の設置空間内に設置し、かつ該ケース体と可動接続し、該定位部品組は外歯車を具え、該外歯車は該リール盤の内歯車と相互に対応し噛合い定位されることを特徴とする伸縮コードリールの構造である。
すなわち本考案の伸縮コードリールの構造は、以下に述べる特徴を有する。
１．ケース体、リール盤、渦巻バネ、コード組、定位部品組を含み、
該ケース体は設置空間を形成し、該設置空間中には凸軸を設置し、該ケース体の両端にはそれぞれ線槽を設置し、
該リール盤は該ケース体の設置空間内に設置し、該ケース体の凸軸と可動接続し、該リール盤の一端には内歯車を設置し、
該渦巻バネは該リール盤内に設置し、該渦巻バネの一端は該リール盤上に接続し、反対端は該ケース体の凸軸上に接続し、
該コード組は該リール盤の外周囲に巻き付き環状に設置され、該コード組は相互に重なり接続する第一コード及び第二コードにより構成し、該第一コードと該第二コードの一端はそれぞれ該ケース体の線槽より延伸し、
該定位部品組は該ケース体の設置空間内に設置し、かつ該ケース体と可動接続し、該定位部品組は外歯車を具え、該外歯車は該リール盤の内歯車と相互に対応し噛合い定位されることを特徴とする。
２．前記ケース体は上ケース体、下ケース体により構成することを特徴とする。
３．前記上、下ケース体上にはそれぞれ2本の凸柱と2個の凹孔を設置し、該各凸柱は該各凹孔と相互に対応し連結し、該2個の凹孔間には線槽を形成することを特徴とする。
４．前記下ケース体の内部には基台を接続し、該基台の中央には凸軸を延伸することを特徴とする。
５．前記凸軸上には通槽を開設し、該通槽には前記渦巻バネの一端が嵌入し接続することを特徴とする。
６．前記基台の片側には開口部を形成し、該開口部は前記定位部品組の外歯車を突出させ、これにより前記リール盤の内歯車と相互に噛合い回転することを特徴とする。
７．前記リール盤は隔絶板を具え、該隔絶板の中央には貫通孔を設置し、該貫通孔には前記ケース体の凸軸が貫通し可動接続することを特徴とする。
８．前記リール盤の上下周囲にはそれぞれ上欠口、下欠口を設置し、前記隔絶板の片側には通槽を設置し、該欠口と該通槽はそれぞれ前記第一コード及び前記第二コードの接続端を穿通させることを特徴とする。
９．前記渦巻バネは金属板片、或いは金属線材などで製造することを特徴とする。
１０．前記第一コードの一端にはUSBジョイント、IEEEI1394ジョイント、直流電源プラグ、電話ジャック、インターネット用ジョイント、イヤホーンジャック、ストラップなどの任意の一種を接続することを特徴とする。
１１．前記第二コードの一端にはUSBジョイント、IEEEI1394ジョイント、直流電源プラグ、電話ジャック、インターネット用ジョイント、イヤホーンジャック、ストラップなどの任意の一種を接続することを特徴とする。
１２．前記定位部品組は揺動部品、ラチェットを含み、前記下ケース体の内部には第一円軸、第二円軸、第三円軸を延伸し、前記定位部品組の外歯車、揺動部品、ラチェットはそれぞれ前記下ケース体の第一円軸、第二円軸、第三円軸上に可動接続することを特徴とする。
１３．前記揺動部品は突起ブロック、2個のガードブロックを具え、前記外歯車上には係合槽を設置し、該係合槽は該突起ブロックを設置し、前記ラチェット上には複数のラチェットを具え、該ラチェットは前記揺動部品のガードブロックを嵌入させ、これにより限定作用を生じることを特徴とする。
１４．前記揺動部品のガードブロックは外部にそれぞれ弾力片を設置し、該各弾力片は前記揺動部品の作動を一定の作業範囲内に限定することを特徴とする。
【考案の効果】
【０００５】
上記のように、本考案はコード組を簡単に引き出し、また巻き戻すことができ、かつコードリールの構造全体を大幅に単純化することができる。
【考案を実施するための最良の形態】
【０００６】
図１、２に示すように、本考案の伸縮コードリールの構造は主にケース体１０、リール盤２０、渦巻バネ３０、コード組４０、定位部品組５０を含む。
該ケース体１０は上ケース体１１、下ケース体１２により構成し、中央には設置空間１３を形成する。該下ケース体１２の内部には第一円軸１２１、第二円軸１２２、第三円軸１２３を延伸し、該円軸１２１、１２２、１２３上方には基台１４を接続する。該基台１４の中央には凸軸１４１を延伸し、該凸軸１４１上には通槽１４２を開設する。該基台１４の片側には開口部１４３を形成する。
該上ケース体１１の両端にはそれぞれ2本の凸柱１１１と2個の凹孔１１２を設置し、該下ケース体１２の両端にはそれぞれ2本の凸柱１２４と2個の凹孔１２５を設置する。該上ケース体１１の凸柱１１１及び凹孔１１２はそれぞれ該下ケース体１２の凸柱１２４及び凹孔１２５と相互に対応し連結し、かつ該上ケース体１１の2個の凹孔１１２間には線槽１１３を形成し、該下ケース体１２の2個の凹孔１２５間にも線槽１２６を形成する。
【０００７】
該リール盤２０は該ケース体１０の設置空間内に13設置し、隔絶板２１を具える。該隔絶板２１の中央には貫通孔２２を設置し、該貫通孔２２には該基台１４の凸軸１４１が貫通し可動接続する。また該リール盤２０の上下周囲にはそれぞれ上欠口２３、下欠口２４を設置し、該隔絶板２１の片側には通槽２５を設置する。該通槽２５の隣接する位置には環状槽２６形成し、該環状槽２６は該上欠口２３と該下欠口２４間に介在する。該環状槽２６の対面周囲には  槽口２７を開設する。さらに、該リール盤２０の隔絶板２１下方には内歯車２８を形成する。
該渦巻バネ３０は該リール盤２０内上に設置する。該渦巻バネ３０は板片、或いは線材などの金属で製造する。該渦巻バネ３０の一端は「コ」の字型を呈し、該リール盤２０の該上欠口２３の片側位置に嵌合、接続可能である。かつ該リール盤２０の外部周囲に密着し周囲を環状に囲み設置し、さらに、該槽口２７より入り該隔絶板２１の上方に巻き付く。該渦巻バネ３０の反対端は半円状を呈し、該凸軸１４１の通槽１４２内に嵌入し接続する。
【０００８】
該コード組４０は該リール盤２０の外部周囲に巻き付き、該コード組４０は相互に重なり接続する第一コード４１及び第二コード４２により構成する。該第一コード４１と該第二コード４２の一端はそれぞれ該ケース体１０の線槽１１３、１２６より延伸し、かつそれぞれUSBジョイント、IEEEI1394ジョイント、直流電源プラグ、電話ジャック、インターネット用ジョイント、イヤホーンジャック、ストラップ、或いは他の各種異なるコネクタと接続することができる。
該第一コード４１の内部には弧状間隔４３を形成し、これにより最も内側に巻かれているコードは該リール盤２０の環状槽２６内に嵌入、固定することができ、さらに該第一コード４１と該第二コード４２の接続端は該リール盤２０の通槽２５より穿通する。
【０００９】
該定位部品組５０は該ケース体１０の設置空間１３内に設置され、それぞれ該下ケース体１２の各円軸１２４、１２５、１２６と可動接続する。該定位部品組５０は外歯車５１、揺動部品５２、ラチェット５３を含む。
該外歯車５１は該第一円軸１２１上に可動接続し、その歯車５１１は該基台１４の開口部１４３において突出する。これにより、該リール盤２０の内歯車２７と相互に噛合い回転する。該歯車５１１の反対側には180度隔てる係合槽５１２を設置する。
該揺動部品５２は該第二円軸１２２上に可動接続し、突起ブロック５２１、2個のガードブロック５２２を具える。該各ガードブロック５２２の外部においてそれぞれ弾力片５２３を設置し、該弾力片５２３は該揺動部品５２の作動を一定の作業範囲内に限定する。該突起ブロック５２１は該外歯車５１の係合槽５１２中に設置する。
該ラチェット５３は該第三円軸１２３上に可動接続し、該揺動部品５２の下方に設置する。かつ多数のラチェット５３１を具え、該揺動部品５２のガードブロック５２２により固定され、行程における一時的停止作用を呈する。
【００１０】
次に図４、５に示すように、上記部品の組合せにおいて、該第一コード４１及び該第二コード４２を引き動かし、該ケース体１０の線槽１１３、１２３に沿って外部へと引き出すと、該リール盤２０は時計回りの回転を生じ(図５参照)、該渦巻バネ３０は収縮巻取り作用を生じる。同時に、該外歯車５１の歯車５１１の回転を連動し、該外歯車５１の係合槽５１２は該揺動部品５２の突起ブロック５２１を動かす。これにより、該揺動部品５２は一方向の揺動を呈し、該コード組４０は軽く引き出される。
適時に引き出しを停止する場合には、該渦巻バネ３０の弾力回復作用により、該リール盤２０が反回転動作を生じる時には、該突起ブロック５２１は該外歯車５１の係合槽５１２中に嵌入し、動きを制する効果を形成する。こうして、引き出された該第一コード４１及び該第二コード４２の長さを一時的に固定し、内部に入ってしまわないようにする。
反対に、該第一コード４１及び該第二コード４２を巻き取り回収しようとする場合には、該第一コード４１及び該第二コード４２をわずかに外向きに引くだけで、該リール盤２０の内歯車２８は該外歯車５１の歯車５１１の回転を連動し、該揺動部品５２の突起ブロック５２１は該外歯車５１の係合槽５１２中から離脱する。該外歯車５１周囲に密着する突起ブロック５２１及び回転慣性力の作用により、該各係合槽５１２は次々と通過し、係合作用を発生しない。こうして、コードリールの迅速な巻き戻し作用を達成する。
【図面の簡単な説明】
【００１１】
【図１】本考案の立体分解図である。
【図２】本考案の別の方向からの立体分解図である。
【図３】本考案の組合せ指示図である。
【図４】本考案の使用状態平面図である。
【図５】本考案の別の方向からの使用状態平面図一である。
【図６】本考案の別の方向からの使用状態平面図二である。
【符号の説明】
【００１２】
１０  ケース体
１１  上ケース体
１１１  突起柱
１２４  突起柱
１１２  凹孔
１２５  凹孔
１１３  線槽
１２６  線槽
１２  下ケース体
１２１  第一円軸
１２２  第二円軸
１２３  第三円軸
１３  設置空間
１４  基台
１４１  凸軸
１４２  通槽
１４３  開口部
２０  リール盤
２１  隔絶板
２２  貫通孔
２３  上欠口
２４  下欠口
２５  通槽
２６  環状槽
２７  槽口
２８  内歯車
３０  渦巻バネ
４０  コード組
４１  第一コード
４２  第二コード
４３  弧状間隔
５０  定位部品組
５１  外歯車
５１１  歯車
５１２  係合槽
５２  揺動部品
５２１  突起ブロック
５２２  ガードブロック
５２３  弾力片
５３  ラチェット
５３１  ラチェット
【図１】
0003109591.tif 000003
【図２】
0003109591.tif 000004
【図３】
0003109591.tif 000005
【図４】
0003109591.tif 000006
【図５】
0003109591.tif 000007
【図６】
0003109591.tif 000008